(57)【特許請求の範囲】
【請求項１】
被検体に挿入される長尺な長手軸を有する第１挿入部、前記第１挿入部に設けられた第１チャンネル、および前記第１挿入部の先端に配置され前記被検体を観察するための超音波観察部を有する硬性鏡本体と、
前記第１チャンネルに挿抜可能で前記第１チャンネルに適合する外径で形成された第２挿入部、および前記第２挿入部の内部に充填された樹脂材により前記第２挿入部の軸芯に対して偏芯するように形成された第２チャンネルを有する処置具ガイドと、
前記第２チャンネルに挿抜可能な処置具と、
前記処置具ガイドに代えて前記第１チャンネルに挿抜可能で前記第１チャンネルに適合する外径で形成された第３挿入部、および前記第３挿入部の先端に設けられ前記被検体を観察するための光学観察部を有するイメージングデバイスと、
前記イメージングデバイスを前記第１チャンネルに挿入するときには前記第１チャンネルと前記第３挿入部の間に灌流液を流通させる微小隙間を確保した状態に前記硬性鏡本体と前記イメージングデバイスとを固定すると共に前記イメージングデバイスが前記硬性鏡本体の前記長手軸の回転方向に対して移動することを規制した状態に固定し、前記処置具ガイドを前記第１チャンネルに挿入するときには前記超音波観察部から離れる方向に前記処置具が突出するように前記第２チャンネルの軸芯を偏芯させて前記処置具ガイドを前記硬性鏡本体に対して固定する位置決め機構と、
を含むことを特徴とする硬性鏡セット。
【請求項２】
前記第１チャンネルは、挿入された前記処置具が前記超音波観察部の観察視野に突出する位置に配置されており、
前記第２チャンネルは前記第１チャンネルに対して前記第１観察部から離れる方向に偏芯した位置で開口していることを特徴とする請求項１に記載の硬性鏡セット。
【請求項３】
前記第２チャンネルの前記第２挿入部の軸芯からの偏芯量は先端側と手元側とで異なっていることを特徴とする請求項２に記載の硬性鏡セット。
【請求項４】
前記位置決め機構は、前記第１チャンネルと前記第２挿入部との間に灌流液を流通させる微小隙間を確保した状態に前記硬性鏡本体と前記処置具ガイドとを固定することを特徴とする請求項１に記載の硬性鏡セット。
【請求項５】
前記位置決め機構は、前記硬性鏡本体に設けられた位置決め孔と、前記イメージングデバイスに設けられた位置決めピンにより構成されることを特徴とする請求項１に記載の硬性鏡セット。
【請求項６】
前記位置決め機構は、固定ねじにより、前記硬性鏡本体と前記イメージングデバイスとを固定することを特徴とする請求項１に記載の硬性鏡セット。
【請求項７】
前記第２チャンネルには、前記第２挿入部の側面において前記長手軸の方向に沿って形成された開口部を有することを特徴とする請求項２に記載の硬性鏡セット。
【発明の詳細な説明】
【技術分野】
【０００１】
本発明は、視管に設けられた第３挿入部を挿抜可能な硬性鏡本体の第１チャンネルに対し、第３挿入部よりも外径の細い処置具を、処置具ガイドを介して挿抜可能にした硬性鏡セットに関する。
【背景技術】
【０００２】
一般に、硬性鏡本体を用いた患者の診断や治療は、光学内視鏡や超音波内視鏡等による観察の下で行われる。また、硬性鏡本体の先端に光学的観察手段が備えられているものでは、光学的観察手段から得られた光学的観察像に基づいて硬性鏡の先端を、目的とする被検体へ導き、硬性鏡本体のチャンネルに挿入した処置具を用いて組織を採取し、或いは、必要な処置を行う。【０００３】
例えば、日本国特許第３５１４８５４号公報には、先端に、超音波観測手段と光学的観察手段とチャンネル開口部とが配置された、挿入部が軟性或いは硬性の超音波プローブを用いて被検体の診断、治療を行う技術が開示されている。【０００４】
特許文献１に開示されている超音波プローブを用いて被検体の診断、治療を行うに際しては、先ず、超音波プローブの挿入部を体内に挿入し、超音波プローブの先端を光学的観察手段から得られた光学的観察像に基づいて被検体へ導く。次いで、超音波観測手段を被検体に当接し、病変部を特定して、所定の処置を行う。また、超音波プローブに設けたチャンネルに処置具を挿入して他の処置を行う。【０００５】
ところで、目的とする被検体の診断、治療を経管腔的に行う場合、特に、尿道等、比較的狭い管腔に、超音波プローブなどの硬性鏡本体の挿入部を挿入する場合、患者に与える負担を軽減するためには、硬性鏡本体の挿入部の外径はなるべく細い方が好ましい。【０００６】
挿入部の外径を細くするために、光学的観察手段を硬性鏡本体から分離し、これを光学視管として硬性鏡本体に設けたチャンネルに挿入し、光学視管から得られた観察画像により先端部を、目的とする組織へ導くようにすることで、挿入部の外径を細くすることが可能となる。【０００７】
硬性鏡本体のチャンネルには、光学視管以外に種々の処置具が、診断、治療のために挿入される。チャンネルの内径は、挿入されるデバイス（対象物）の最大径が挿入可能な内径に設定されており、光学視管が最大径の場合、チャンネルの内径は、光学視管の外径と、光学視管の外周に灌流液を通すことのできる程度の隙間を加えた値が必要となる。【０００８】
その結果、光学視管よりも極端に外径の細い処置具を硬性鏡本体のチャンネルに挿入した場合、チャンネル内での処置具の径方向のガタつきが大きく、硬性鏡本体の先端から突出する処置具を、手元側の操作で目的とする被検体内の組織へ正確に導くことが困難となる。【０００９】
本発明は、上記事情に鑑み、組み合わされる最も太いデバイスの外径に適合させた内径を有する硬性鏡本体のチャンネルに、上記デバイスよりも細い外径の処置具等を挿入した場合であっても、径方向にガタつきが発生せず、手元側の操作で処置具の先端を被検体内の組織へ正確に導くことのできる硬性鏡セットを提供することを目的とする。
【発明の開示】
【課題を解決するための手段】
【００１０】
本発明の一態様による硬性鏡セットは、被検体に挿入される長尺な長手軸を有する第１挿入部、前記第１挿入部に設けられた第１チャンネル、および前記第１挿入部の先端に配置され前記被検体を観察するための超音波観察部を有する硬性鏡本体と、前記第１チャンネルに挿抜可能で前記第１チャンネルに適合する外径で形成された第２挿入部、および前記第２挿入部の内部に充填された樹脂材により前記第２挿入部の軸芯に対して偏芯するように形成された第２チャンネルを有する処置具ガイドと、前記第２チャンネルに挿抜可能な処置具と、
前記処置具ガイドに代えて前記第１チャンネルに挿抜可能で前記第１チャンネルに適合する外径で形成された第３挿入部、および前記第３挿入部の先端に設けられ前記被検体を観察するための光学観察部を有するイメージングデバイスと、前記イメージングデバイスを前記第１チャンネルに挿入するときには前記第１チャンネルと前記第３挿入部の間に灌流液を流通させる微小隙間を確保した状態に前記硬性鏡本体と前記イメージングデバイスとを固定すると共に前記イメージングデバイスが前記硬性鏡本体の前記長手軸の回転方向に対して移動することを規制した状態に固定し、前記処置具ガイドを前記第１チャンネルに挿入するときには前記超音波観察部から離れる方向に前記処置具が突出するように前記第２チャンネルの軸芯を偏芯させて前記処置具ガイドを前記硬性鏡本体に対して固定する位置決め機構と、を含む。
【図面の簡単な説明】
【００１１】
【図１】第１実施形態による硬性鏡セットの斜視図
【図２】同、硬性鏡本体に光学視管を挿入した状態を示す斜視図
【図３】同、硬性鏡本体の先端部の斜視図
【図４】同、図１の先端部の側面断面図
【図５】同、硬性鏡本体に処置具ガイドを介して処置具を挿入する状態を示す斜視図
【図６】同、処置具ガイドの側面断面図
【図７】同、硬性鏡本体の基端部に、処置具が挿抜される処置具ガイドを位置決めする状態を示す部分断面側面図
【図８】同、図７のVIII−VIII断面図
【図９】同、硬性鏡本体の先端から処置具ガイドを介して処置具を突出させた状態を示す先端部断面側面図
【図１０】同、硬性鏡本体の先端から処置具ガイドを介して処置具を突出させた状態を示す先端部斜視図
【図１１】第２実施形態による硬性鏡本体の先端から処置具ガイドを介して処置具を突出させた状態の先端部斜視図
【図１２】同、硬性鏡本体の先端から処置具ガイドを介して処置具を突出させた状態を示す先端部断面側面図
【図１３】同、図１２のXIII-XIII断面図
【図１４】第３実施形態による硬性鏡本体の先端から処置具ガイドを介して処置具を突出させた状態を示す先端部斜視図
【図１５】同、硬性鏡本体の先端から処置具ガイドを介して処置具を突出させた状態を示す先端部断面側面図
【図１６】同、図１５のXVI-XVI断面図
【発明を実施するための最良の形態】
【００１２】
以下、図面に基づいて本発明の一実施形態を説明する。なお、図面は模式的なものであり、各部材の厚みと幅との関係、それぞれの部材の厚みの比率などは現実のものとは異なることに留意すべきであり、図面の相互間においても互いの寸法の関係や比率が異なる部分が含まれていることは勿論である。【００１３】
［第１実施形態］
図１〜図１０に本発明の第１実施形態を示す。図１には硬性鏡セットの構成が示されている。硬性鏡セット１は、硬性鏡本体１１とイメージングデバイスとしての光学視管２１と処置具ガイド２２と処置具装置２３とを有している。本実施形態の硬性鏡セット１は、例えば前立腺の生検組織を経尿道的に採取する際に使用するものである。【００１４】
硬性鏡本体１１は、被検体の管腔（例えば尿道）に挿入される第１挿入部１２を有し、第１挿入部１２の手元側に把持部１３が設けられ、把持部１３の一側からユニバーサルコード１４が延出されている。第１挿入部１２は硬性で直線状に延在されており、内部の下側にユニバーサルコード１４から延出する信号ケーブル１５が軸方向に沿って挿通されている。また、第１挿入部１２内の上側に第１チャンネル１６が軸方向に沿って形成され、前端が第１挿入部１２の先端面に開口されている。なお、第１チャンネル１６の内径は、後述する光学視管２１に設けた第３挿入部２１ａの外径に適合させたサイズに設定されている。【００１５】
また、第１挿入部１２の先端に被検体を観察するための第１観察部１７が設けられている。第１観察部１７はコンベックスアレイ型の超音波振動子からなる超音波観察部１７ａを有し、超音波観察部１７ａに信号ケーブル１５の先端部が接続されている。また、図１０に示すように、超音波観察部１７ａは超音波振動子を第１挿入部１２の軸芯に沿い、且つ第１チャンネル１６の芯軸の延長上を扇状に走査するように配列されている。【００１６】
なお、図示しないがユニバーサルコード１４の基端にコネクタが設けられており、コネクタが信号処理ユニットに接続される。信号処理ユニットは、信号ケーブル１５を介して超音波観察部１７ａに駆動信号を送信すると共に、超音波観察部１７ａで受信した超音波信号を処理して、被検体の体腔壁よりも深さ方向に存在する組織の超音波断層像を生成し、モニタ（図示せず）に表示させる。【００１７】
また、把持部１３の上部にコック付きの送水口１９が設けられている。送水口１９は第１チャンネル１６内に開口されていると共に、灌流チューブ（図示せず）を介して灌流液が供給自在にされている。術者は送水口１９のコックを開くことで、第１チャンネル１６内に灌流液を適宜送水することができる。【００１８】
また、図７に示すように、把持部１３には第１チャンネル１６に連通する挿入ガイド孔１３ａが形成され、その後端が把持部１３の後端面に開口されている。把持部１３の後端面には位置決め孔１３ｂが穿設されている。位置決め孔１３ｂは、後述する光学視管２１、および処置具ガイド２２に突設されている位置決めピン２４，２５が係入される。さらに、図８に示すように、把持部１３に固定ねじ１８が設けられている。固定ねじ１８は、位置決め孔１３ｂの一側に位置決めピン２４．２５を押し付けるねじ部１８ａを有し、ねじ部１８ａに、術者が把持して回転させる回転ノブ１８ｂが固定されており、ねじ部１８ａは抜止めピン１８ｃにて抜け止めされている。【００１９】
また、硬性鏡本体１１の第１チャンネル１６には、光学視管２１に設けられた第３挿入部２１ａと、処置具ガイド２２に設けられた第２挿入部２２ａとが選択的に挿抜される。両挿入部２１ａ，２２ａは硬性で直線状に延在されており、第１チャンネル１６の内径は第３挿入部２１ａの外径に適合するサイズに設定されている。一方、第２挿入部２２ａの外径は第３挿入部２１ａの外径と同一に設定されている。また、図４、図９では省略しているが、第１チャンネル１６の内周と両挿入部２１ａ，２２ａの外周との間には、灌流液を流通させることのできる微小間隙が確保されている。従って、第１チャンネル１６の内径は両挿入部２１ａ，２２ａの外径よりも、灌流液を流通させる間隙分だけ若干大きく設定されている。【００２０】
また、図１に示すように、光学視管２１に設けられている第３挿入部２１ａの手元側に接眼部２１ｂが設けられ、接眼部２１ｂの前端付近の上部にライトガイド（図示せず）が挿入される口金部２１ｃが設けられている。ライトガイドは第３挿入部２１ａ内を通り先端方向へ延出されており、ライトガイドを介して伝送された照明光が第３挿入部２１ａの先端部に設けた照明窓（図示せず）から出射されて被検体の体腔壁が照射される。また、第３挿入部２１ａの先端には照明窓に隣接して観察窓（以下、「第２観察部」と称する）２１ｄが設けられており、被写体の体腔壁からの反射光が第２観察部２１ｄに入射し、第２観察部２１ｄ内に備えられている光学観察部２１ｆに結像した被写体像がリレー光学系を介して接眼部２１ｂに伝送されて観察される。【００２１】
さらに、接眼部２１ｂの前端にフランジ部２１ｇが形成されている。フランジ部２１ｇの前端面中央に支持部２１ｅか突設され、支持部２１ｅに第３挿入部２１ａの後端が支持されている。フランジ部２１ｇの前端面は、硬性鏡本体１１に設けた把持部１３の後端面に対峙され、支持部２１ｅが、把持部１３の後端面に開口する挿入ガイド孔１３ａに挿通される。また、フランジ部２１ｇの前端面下部に位置決めピン２４（図１参照）が突設されている。位置決めピン２４は把持部１３の後端面に開口する位置決め孔１３ｂに係入されて、回転方向への移動が規制される。【００２２】
一方、処置具ガイド２２に設けられている第２挿入部２２ａの手元側に漏斗状の誘導部２２ｂが設けられている。さらに、誘導部２２ｂの先端にフランジ部２２ｄが形成され、その前端面中央に支持部２２ｅか突設され、支持部２２ｅに第２挿入部２２ａの後端が支持されている。フランジ部２２ｄの前端面は、硬性鏡本体１１に設けた把持部１３の後端面に対峙され、支持部２２ｅが、把持部１３の後端面に開口する挿入ガイド孔１３ａに挿通される。また、フランジ部２２ｄの前端面下部に位置決めピン２５が突設されている。位置決めピン２５は把持部１３の後端面に開口する位置決め孔１３ｂに係入されて、回転方向への移動が規制される。【００２３】
処置具ガイド２２の第２挿入部２２ａ内の軸芯に第２チャンネル２２ｃが形成され、その前端が第２挿入部２２ａの先端面に開口されている。また、第２チャンネル２２ｃの後端が誘導部２２ｂに形成されている誘導孔２２ｆに連通されている。第２チャンネル２２ｃに、処置具装置２３に設けられている装置本体２３ａから前方へ直線状に延在する細長で硬質の処置具２３ｂが挿抜される。【００２４】
第２チャンネル２２ｃは処置具２３ｂを挿抜する際のガイドとして機能するものであり、第２チャンネル２２ｃの内径は処置具２３ｂの外径よりも若干大きく形成されている。なお、本実施形態では、第２挿入部２２ａをパイプ材で形成し、内部に樹脂材を充填し、充填した樹脂材に第２チャンネル２２ｃが形成されている。なお、第２挿入部２２ａは中実の金属製とし、そこに第２チャンネル２２ｃを形成するようにしても良い。【００２５】
本実施形態では、処置具装置２３の一例として生検装置が示されており、生検装置の針部が処置具２３ｂに対応している。従って、以下においては、処置具装置２３を生検装置２３と読み換え、また処置具２３ｂを針部２３ｂと読み換えて説明する。【００２６】
針部２３ｂは、光学視管２１の第３挿入部２１ａよりも細い外径のガイド筒針２３ｃと、生検針２３ｄとを有し、ガイド筒針２３ｃに生検針２３ｄが進退自在に挿通されている。また、生検針２３ｄの先端側にポケット２３ｅが形成されている。生検針２３ｄは装置本体２３ａの背面に設けられている発射ボタン２３ｆを押すことにより、装置本体２３ａに内装されているばねの弾発力を受けて前方へ突出して、被検体の組織内に穿刺され、ポケット２３ｅに生検組織が取り込まれる。発射ボタン２３か押されると、生検針２３ｄに続いてガイド筒針２３ｃが突出し、その先端がポケット２３ｅ上を通過する際に、生検組織が切り取られてポケット２３ｅに取り込まれる。【００２７】
図１０に示すように、第１チャンネル１６の軸芯は、超音波観察部１７ａの走査面（観察視野）１７ｂに突出する位置に配置されているため、針部２３ｂを第１チャンネル１６の軸芯から前方へ突出させれば、針部２３ｂが超音波観察部１７ａの走査面１７ｂを貫通するので、モニタ上の超音波断層像に針部２３ｂを表示させることができる。【００２８】
本実施形態の針部２３ｂは、第１チャンネル１６に対して処置具ガイド２２に設けた第２挿入部２２ａを介して挿通している。従って、第２挿入部２２ａの外径を第１チャンネル１６の内径に対応して設定し、且つ、第２挿入部２２ａに形成されている第２チャンネル２２ｃの内径を針部２３ｂの外径に対応して設定すれば、視管２１の第３挿入部２１ａよりも細い針部２３ｂを、超音波観察部１７ａの走査面１７ｂに正確に突出させることができる。【００２９】
次に、このような構成による硬性鏡セット１を用いて生検組織を採取する場合の作用について説明する。被検体内に硬性鏡本体１１を挿通して、先端部に設けた第１観察部１７を、目的とする体腔壁へ導くに際しては、図２に示すように、硬性鏡本体１１の第１挿入部１２内に形成されている第１チャンネル１６に対し、光学視管２１の第３挿入部２１ａを、把持部１３の後端面に開口されている挿入ガイド孔１３ａから挿通する。【００３０】
そして、図３、図４に示すように、第３挿入部２１ａの先端を、第１挿入部１２の先端に開口する第１チャンネル１６の開口部から突出させ、また、手元側に設けた接眼部２１ｂのフランジ部２１ｇの前端面に突設されている位置決めピン２４（図１参照）を、硬性鏡本体１１に設けられている把持部１３の後端面に穿設されている位置決め孔１３ｂに係入して、第３挿入部２１ａを、硬性鏡本体１１の第１チャンネル１６内に位置決めする。その後、把持部１３に設けられている固定ねじ１８の回転ノブ１８ｂを介してねじ部１８ａを回転させ、その先端で位置決め孔１３ｂに係入されている位置決めピン２４を、反対側の内壁に押圧して固定する。【００３１】
次いで、光学視管２１が固定されている硬性鏡本体１１の第１挿入部１２を被検体の管腔（例えば、尿道）に挿入し、接眼部２１ｂに映し出される被検体内の内視鏡像を確認しながら、先端に設けた第１観察部１７を目的部位（例えば、前立腺内の尿道）へ導く。そして、第１観察部１７が目的部位に到達した場合、硬性鏡本体１１を被検体の体腔内に留置した状態で、固定ねじ１８を緩め、光学視管２１の第３挿入部２１ａを第１チャンネル１６から抜去する。【００３２】
その後、第１チャンネル１６に対し、図６に示す処置具ガイド２２の第２挿入部２２ａを挿通し、図７に示すように、手元側のフランジ部２２ｄの前端面に突設されている位置決めピン２５を、硬性鏡本体１１の手元側に設けた把持部１３に穿設されている位置決め孔１３ｂに係入し、図８に示すように固定ねじ１８で位置決めピン２５を反対側の位置決め孔１３ｂの内壁に押し付けて固定する。すると、図９に示すように、第２挿入部２２ａの先端が第１チャンネル１６の開口部とほぼ同じ位置に臨まされる。第２挿入部２２ａの外径と第１チャンネル１６の内径との間の間隙は微小であるため、径方向へのガタつきが発生せず、第２挿入部２２ａの軸芯は第１チャンネル１６の軸芯とほぼ一致された状態で固定される。【００３３】
その後、第２チャンネル２２ｃに、生検装置２３に設けられている針部２３ｂを、誘導部２２ｂに形成されている誘導孔２２ｆから挿通し、図５、図９に示すように、針部２３ｂの先端を第２チャンネル２２ｃの先端開口から突出させる。第２チャンネル２２ｃの内径と針部２３ｂの外径との間の間隙は微小であるため、径方向へのガタつきは殆どなく、針部２３ｂの軸芯は第１チャンネル１６の軸芯とほぼ一致された状態で進退自在に保持されている。【００３４】
従って、図１０に示すように、針部２３ｂの先端は第１観察部１７の走査面１７ｂを貫通する方向に突出される。その結果、針部２３ｂの先端がモニタ上の超音波断層像に表示されるため、術者はモニタに映し出される針部２３ｂの先端を確認し、最適な位置で、装置本体２３ａに設けられている発射ボタン２３ｆを押すことで、生検組織を容易に採取することができる。【００３５】
このように、本実施形態によれば、処置具ガイド２２に設けた第２挿入部２２ａの外径を視管２１に設けた第３挿入部２１ａの外径と同一に形成し、第２挿入部２２ａ内に形成した第２チャンネル２２ｃの内径を生検装置２３の針部２３ｂに適合させて形成したので、硬性鏡本体１１の第１チャンネル１６に対し、生検装置２３に設けた針部２３ｂを処置具ガイド２２の第２挿入部２２ａを介して挿通することで、針部２３ｂにガタつきを発生させることなく、手元側の操作で針部２３ｂの先端を被検体の体腔壁へ正確に導くことができる。【００３６】
また、針部２３ｂの軸芯が、第１観察部１７の走査面１７ｂに一致しているため、モニタ上の超音波断層像に針部２３ｂを表示させることができ、術者はモニタで針部２３ｂを確認しながら、針部２３ｂを最適な位置へ導くことができる。【００３７】
［第２実施形態］
図１１〜図１３に本発明の第２実施形態を示す。第１実施形態では、硬性鏡本体１１に設けた第１チャンネル１６の軸芯と、処置具ガイド２２に設けた第２チャンネル２２ｃの軸芯とを一致させているが、本実施形態では、第２チャンネル２２ｃの軸芯を先端方向へ移行するに従い、上方（第１観察部から離れる方向）へ傾斜させて、第２挿入部２２ａの軸芯から偏芯させたものである。従って、第２チャンネル２２ｃの第２挿入部２２ａの軸芯からの偏芯量は先端側と手元側とで異なっており、手元側から先端側へ移行するに従い、偏芯量が次第に大きくなっている。なお、第１実施形態と同一構成部分については、同一の符号を付して説明を省略する。【００３８】
すなわち、図１２に示すように、第１挿入部１２の軸芯と平行な第１チャンネル１６の軸芯Ｏ１に対し、処置具ガイド２２に設けた第２チャンネル２２ｃの軸芯Ｏ２は、所定傾斜角度θ１だけ上方に傾斜されている。一方、処置具ガイド２２の手元側に設けられている誘導部２２ｂに穿設されている誘導孔２２ｆの軸芯と第２挿入部２２ａの軸芯とは、誘導部２２ｂと第２挿入部２２ａとの接続部付近で交差されている。【００３９】
従って、図１３に示すように、第２チャンネル２２ｃの先端は処置具ガイド２２の軸芯から第１観察部１７の走査面１７ｂに沿って上方へ所定に偏芯した位置で開口されるため、第２チャンネル２２ｃに挿通された生検装置２３の針部２３ｂは、第２チャンネル２２ｃの先端から斜め上方へ突出される。図１２に示すように、針部２３ｂを斜め上方へ突出させることで、針部２３ｂの先端と第１観察部１７との距離が、第１実施形態よりも増加するので、モニタ上に、扇状に表示される超音波断層像に対して針部２３ｂを長く表示させることができる。【００４０】
［第３実施形態］
図１４〜図１６に本発明の第３実施形態を示す。本実施形態による処置具ガイド２２に設けた第２チャンネル２２ｃの上部には、軸方向に沿って開口部２２ｇが形成されている。開口部２２ｇの径方向の幅が針部２３ｂの直径よりも狭ければ、針部２３ｂは開口部２２ｇから外部に飛び出すことはなく、第２チャンネル２２ｃ内に、径方向への移動が規制された状態で進退自在に保持される。【００４１】
一方、第２チャンネル２２ｃの上部に開口部２２ｇを形成することで、第２チャンネル２２ｃの先端側では、図１６に示すように、針部２３ｂをより上方へ傾斜させることができる。そのため、図１５に示すように、針部２３ｂの傾斜角度θ２が、第２実施形態の場合よりも大きくなり、第２チャンネル２２ｃの先端は処置具ガイド２２の軸芯から第１観察部１７の走査面１７ｂに沿って上方へ第２実施形態の場合よりも、大きく偏心した位置で開口させることができる。【００４２】
その結果、本実施形態によれば、針部２３ｂの先端と第１観察部１７との距離が、第２実施形態の場合よりも増加し、その分、モニタ上の超音波断層像に対して針部２３ｂをより長く表示させることができる。【００４３】
なお、本発明は、上述した実施形態に限るものではなく、例えば、処置具装置は生検装置２３に限らず、光学視管２１の第３挿入部２１ａの外径よりも細い処置具を有しているものであれば、注射針や高周波ナイフ等であっても良い。また、第２チャンネル２２ｃの傾斜方向は目的に応じて、より浅い位置を刺せるように下方（第１観察部１７に近づく方向）に傾斜させたり、第１チャンネル１６の軸芯と平行なまま偏心させるのみとしても良い。【００４４】
本出願は、２０１４年８月２１日に日本国に出願された特願２０１４−１６８６２２号を優先権主張の基礎として出願するものであり、上記の内容は、本願明細書、請求の範囲、図面に引用されたものである。
【要約】
本発明による硬性鏡セットは、被検体に挿入される第１挿入部、第１挿入部に設けられた第１チャンネル、および第１挿入部の先端に配置され被検体を観察する第１観察部を有する硬性鏡本体と、第１チャンネルに挿抜される第２挿入部、および第２挿入部に設けられた第２チャンネルを有する処置具ガイドと、第２チャンネルに挿抜可能な針部と、処置具ガイドに代えて第１チャンネルに挿抜可能な第３挿入部、および第３挿入部の先端に設けられ被検体を観察するための第２観察部を有する光学視管とを含む。【図１】
0005963977.tif 000002
【図２】
0005963977.tif 000003
【図３】
0005963977.tif 000004
【図４】
0005963977.tif 000005
【図５】
0005963977.tif 000006
【図６】
0005963977.tif 000007
【図７】
0005963977.tif 000008
【図８】
0005963977.tif 000009
【図９】
0005963977.tif 000010
【図１０】
0005963977.tif 000011
【図１１】
0005963977.tif 000012
【図１２】
0005963977.tif 000013
【図１３】
0005963977.tif 000014
【図１４】
0005963977.tif 000015
【図１５】
0005963977.tif 000016
【図１６】
0005963977.tif 000017